(57)【要約】【課題】消去対象となるデータを適切に選択して消去できる記録再生装置を提供することである。【解決手段】システムコントロールマイコンは、操作部を介して、全消去が指示されると（ステップＳ１１〜Ｓ１５）、ディスク内のプロテクトトラックを検出するプロテクト検出処理を実行する（ステップＳ３０）。プロテクトトラックが検出されると、システムコントロールマイコンは、消去対象を、プロテクトトラック又は、プロテクトトラックを除くトラックとして選択する消去対象選択処理を実行する（ステップＳ４０）。そして、ＥＲＡＳＥの確認表示をして、ＥＲＡＳＥの実行が指示されると（ステップＳ１６，Ｓ１７）、消去対象のトラックを消去する（ステップＳ１８）。つまり、利用者により選択された消去対象のトラックをディスクから消去する。【選択図】　図４
2004079005.tif 000002
【特許請求の範囲】
【請求項１】
所定の記録媒体に記録された複数データの一括消去を指示する指示手段と、
前記指示手段により一括消去が指示されると、各データのプロテクト状態を検出する検出手段と、
前記検出手段により、プロテクト状態のデータが１つでも検出された場合に、少なくともプロテクト状態を除くデータを消去対象として選択する選択手段と、
前記選択手段により選択されたデータを記録媒体から消去する消去手段と、
を備えることを特徴とする記録再生装置。
【請求項２】
前記検出手段は、記録媒体に記録された各データの属性を規定するトラックモードに含まれる情報に従って、各データのプロテクト状態を検出する、
ことを特徴とする請求項１に記載の記録再生装置。
【請求項３】
データ書き換え可能な記録媒体に記録された全音楽データの一括消去を指示する指示手段と、
前記指示手段により一括消去が指示されると、全音楽データ中に他の機器からチェックアウトされた音楽データが含まれているか検出する検出手段と、
前記検出手段により、チェックアウトされた音楽データが１つでも検出された場合に、少なくともチェックアウトされた音楽データを除く音楽データを消去対象として選択する選択手段と、
前記選択手段により選択された音楽データを記録媒体から消去する消去手段と、
を備えることを特徴とする記録再生装置。
【請求項４】
データ書き換え可能な記録媒体に記録された全音楽データの一括消去を指示する指示ステップと、
前記指示ステップにて一括消去が指示されると、各音楽データのプロテクト状態を検出する検出ステップと、
前記検出ステップにて、プロテクト状態の音楽データが１つでも検出された場合に、少なくともプロテクト状態を除く音楽データを消去対象として選択する選択ステップと、
前記選択ステップにて選択された音楽データを記録媒体から消去する消去ステップと、
を備えることを特徴とするデータ消去方法。
【発明の詳細な説明】
【０００１】
【発明の属する技術分野】
この発明は、記録再生装置およびデータ消去方法に関する。
【０００２】
【従来の技術】
従来より、パーソナルコンピュータ（パソコン）等のコントロール機器に接続されて使用されるプリンタやモデム等の電子機器が知られている。このような電子機器は、例えば、ＲＳ２３２Ｃやセントロニクス等のインタフェースを備えており、所定のケーブルを介してコントロール機器と接続され、コントロール機器からの制御等に従って動作する。
近年では、パソコン等（コントロール機器）に採用されたインタフェース規格としてＵＳＢ（Ｕｎｉｖｅｒｓａｌ　Ｓｅｒｉａｌ　Ｂｕｓ）等が注目されている。このＵＳＢは、パソコンにおいて導入されている一般的なＯＳ（Ｏｐｅｒａｔｉｎｇ　Ｓｙｓｔｅｍ）にてサポートされており、パソコンの電源を入れたままで電子機器を接続できるホット・プラグ・インや、電子機器を使用するための設定を自動的に行えるプラグ・アンド・プレイが特徴となっている。
【０００３】
最近では、このＵＳＢを利用して、パソコンとＭＤ（ミニディスク）記録再生機器とを接続する「ＮｅｔＭＤ（登録商標）」と呼ばれる新しいインターフェース規格が策定されている。
このＮｅｔＭＤ規格は、音楽ＭＤにおける拡張規格であり、強固な著作権保護技術に基づいて、パソコンのハードディスク上に記録された音楽データをＭＤ記録再生機器に転送し、市販の記録用ＭＤに記録するものである。その際、デコード前の状態の音楽データがそのまま転送されるため、デコード／エンコード等に伴う音質劣化が防止される。また、再生に伴う録音と異なり、実質的なデータ転送であるため、通常録音時と比べて数倍〜数十倍の速さで記録が終了する。
【０００４】
各オーディオメーカ等は、このような特徴を有するＮｅｔＭＤ規格に対応したＭＤ記録再生機器を各種製造し、市場への投入を開始している。そして、パソコンを所有している利用者の間に、このようなＭＤ記録再生機器が徐々に普及して来ている。
【０００５】
上述したように、ＮｅｔＭＤ規格は、強固な著作権保護技術が特徴の一つとして挙げられ、無秩序な音楽データの拡散を防止している。具体的には、チェックアウト・チェックイン機能によって、著作権保護の実効が図られている。
ここで、チェックアウトとは、音楽データ（コンテンツ）をパソコンからＭＤ記録再生機器に転送（記録用ＭＤにコピー）することを言う。
一方、チェックインとは、チェックアウトによってＭＤ記録再生機器に転送され記録された音楽データ（実際には、コンテンツハッシュ）を、パソコン（転送元となる同一のパソコン）に戻すことにより、ＭＤ記録再生機器にてその音楽データを使用不能とさせることを言う。
また、各音楽データには、チェックアウトの制限回数（初期値として、例えば、３回）が規定されている。そして、パソコンは、チェックアウト毎に、この制限回数を１ずつ減らし、制限回数を超えたチェックアウトを禁止している。なお、パソコンがチェックイン時に制限回数を１ずつ増やすため、チェックアウト後のチェックインが適切に行われることを条件に、利用者は、パソコンとＭＤ記録再生機器との間で音楽データを自由に移動させることができる。
【０００６】
このようなＮｅｔＭＤ規格にてチェックアウトされた音楽データが記録されたＭＤは、通常のＭＤレコーダ等の記録再生機器でも再生等が可能となっている。例えば、ＭＤＬＰ規格に対応した記録再生機器では、音楽データがＭＤに「ＡＴＲＡＣ３　ＬＰ２」や「ＡＴＲＡＣ３　ＬＰ４」の長時間記録モードにてチェックアウトされた場合であっても、再生等が可能である。
【０００７】
以下、従来の記録再生機器について、図８に示すブロック図を参照して説明する。図示するように、この記録再生装置は、システムコントロールマイコン１１１と、操作部１１２と、表示パネル１１３と、ＭＤメカユニット１２０とを含んで構成される。
【０００８】
システムコントロールマイコン１１１は、ＭＤメカユニット１２０を制御して、ディスクｄ（ＭＤ）に音楽データを記録し、また、ディスクｄに記録された音楽データを再生する。具体的にシステムコントロールマイコン１１１は、所定の制御コマンドを後述するＭＤメカコントロールマイコン１２１に発行することにより、ＭＤメカユニット１２０を制御する。
操作部１１２は、利用者の操作に従って指示信号を生成し、システムコントロールマイコン１１１に供給する。具体的に操作部１１２には、音楽データの編集を指示するための「ＴＲＡＣＫ　ＥＤＩＴキー」、編集項目の変更を指示するための「ＵＰ／ＤＯＷＮキー」、編集項目の選択を指示するための「ＳＥＴキー」、及び、編集の実行を指示するための「ＥＮＴＥＲキー」等が含まれている。そして、これらのキーが利用者により操作されると、操作部１１２は、対応する指示信号をシステムコントロールマイコン１１１に供給する。
表示パネル１１３は、システムコントロールマイコン１１１に制御され、記録再生装置の動作状況を示す文字や図形等を表示する。
【０００９】
ＭＤメカユニット１２０は、ＭＤメカコントロールマイコン１２１と、ヘッドドライバ１２２と、記録ヘッド１２３と、スピンドルモータ１２４と、光ピックアップ１２５と、送りモータ１２６と、ＲＦアンプ１２７と、ディジタル信号処理回路１２８と、バッファメモリ１２９と、から構成される。
【００１０】
ＭＤメカコントロールマイコン１２１は、システムコントロールマイコン１１１から送られる制御コマンドに従って、ディジタル信号処理回路１２８を制御する。
ヘッドドライバ１２２は、記録ヘッド１２３を制御して、ディスクｄに音楽データ等を書き込む。
スピンドルモータ１２４は、ターンテーブル上に搭載されたディスクｄを回転させる。また、光ピックアップ１２５は、送りモータ１２６により運ばれたディスクｄ上から、音楽データ等を読み出し、ＲＦアンプ１２７を介してディジタル信号処理回路１２８に供給する。
【００１１】
ディジタル信号処理回路１２８は、ＡＤＩＰ（ＡＤｄｒｅｓｓ　Ｉｎ　Ｐｒｅ−ｇｒｏｏｖｅ）デコーダ、ＥＦＭ（Ｅｉｇｈｔ　ｔｏ　Ｆｏｕｒｔｅｅｎ　Ｍｏｄｕｌａｔｉｏｎ）デコーダ、ショックプルーフメモリコントローラ、ＡＴＲＡＣ（Ａｄａｐｔｉｖｅ　ＴＲａｎｓｆｏｒｍ　Ａｃｏｕｓｔｉｃ　Ｃｏｄｉｎｇ）用エンコーダ・デコーダ、及び、サーボ制御部として動作する。
バッファメモリ１２９は、再生時等において、所定容量の音楽データを一時的に記憶する。
【００１２】
このような構成の記録再生装置は、ＮｅｔＭＤ規格にてチェックアウトされた音楽データや、通常に録音した音楽データを再生し、また、音楽データを編集（消去、分割、及び、結合等）することができる。
以下、図８に示す記録再生装置の編集動作の一例について図９を参照して簡単に説明する。図９は、ディスクｄに記録された音楽データを全消去（ＡＬＬ　ＥＲＡＳＥ）するデータ消去処理を説明するためのフローチャートである。なお、このデータ消去処理は、利用者による操作部１１２の操作に応答して、システムコントロールマイコン１１１により実行される。
【００１３】
まず、システムコントロールマイコン１１１は、ＴＲＡＣＫ　ＥＤＩＴキーが入力されるまで、後続処理の実行を待機する（ステップＳ１０１）。そして、ＴＲＡＣＫ　ＥＤＩＴキーが入力されると、再生動作や録音動作が停止中であり、かつ、ディスクｄへのデータの書込みが可能な状態であるか否かを判別する（ステップＳ１０２）。
システムコントロールマイコン１１１は、停止中でなく、また、書込みが可能な状態でない場合に、ステップＳ１０１に処理を戻す。
【００１４】
一方、停止中であり、かつ、書込みが可能な状態である場合に、システムコントロールマイコン１１１は、操作部１１２にてＵＰ／ＤＯＷＮキーが入力され、ＡＬＬ　ＥＲＡＳＥの項目がＳＥＴキーにより選択されるまで、後続処理の実行を待機する（ステップＳ１０３〜Ｓ１０５）。
そして、ＡＬＬ　ＥＲＡＳＥの項目が選択されると、システムコントロールマイコン１１１は、ＡＬＬ　ＥＲＡＳＥを確認するためのメッセージを表示パネル１１３に表示し（ステップＳ１０６）、操作部１１２にてＥＮＴＥＲキーが入力されるのを待機する（ステップＳ１０７）。
【００１５】
ＥＮＴＥＲキーが入力されると、システムコントロールマイコン１１１は、ＡＬＬ　ＥＲＡＳＥを実行する（ステップＳ１０８）。すなわち、システムコントロールマイコン１１１は、ＭＤメカコントロールマイコン１２１を制御して、ディスクｄに記録された全ての音楽データを消去する。
【００１６】
システムコントロールマイコン１１１は、ＭＤメカコントロールマイコン１２１から返される実行結果が、消去の成功を示す情報であるか否かを判別する（ステップＳ１０９）。
そして、システムコントロールマイコン１１１は、消去が成功しなかった場合に、所定のエラーメッセージを表示パネル１１３に表示し（ステップＳ１１０）、一方、消去が成功した場合に、ＡＬＬ　ＥＲＡＳＥの完了を示すメッセージを表示パネル１１３に表示する（ステップＳ１１１）。
【００１７】
【発明が解決しようとする課題】
しかしながら、図８に示すような従来の記録再生装置は、上述した図９に示すデータ消去処理において、チェックアウトした音楽データが全く考慮されていないという問題があった。つまり、従来の記録再生装置は、ＡＬＬ　ＥＲＡＳＥが指示されると、通常に記録した音楽データだけでなく、チェックアウトした音楽データも消去していた。
これは、チェックアウトした音楽データ（トラック）のトラックモード（属性等を規定する情報）には、プロテクト情報がセットされているにも拘わらず、このプロテクト情報が全音楽データの消去時に、何ら考慮されていないことに起因している。
【００１８】
このため、通常に記録した音楽データ及び、チェックアウトした音楽データが記録されているディスクｄに対して、ＡＬＬ　ＥＲＡＳＥを指示してしまうと、不用意に消去してはならない音楽データまで消去されることとなる。
そして、チェックアウトした音楽データが記録再生装置にて単独で消去されると、チェックインが行えないため、パソコンにてチェックアウトの制限回数が減ったままとなり、次のチェックアウトが行えない場合もある。
【００１９】
この発明は、上記実状に鑑みてなされたもので、消去対象となるデータを適切に選択して消去することのできる記録再生装置およびデータ消去方法を提供することを目的とする。
【００２０】
【課題を解決するための手段】
上記目的を達成するため、本発明の第１の観点に係る記録再生装置は、
所定の記録媒体に記録された複数データの一括消去を指示する指示手段と、
前記指示手段により一括消去が指示されると、各データのプロテクト状態を検出する検出手段と、
前記検出手段により、プロテクト状態のデータが１つでも検出された場合に、少なくともプロテクト状態を除くデータを消去対象として選択する選択手段と、
前記選択手段により選択されたデータを記録媒体から消去する消去手段と、
を備えることを特徴とする。
【００２１】
前記検出手段は、記録媒体に記録された各データの属性を規定するトラックモードに含まれる情報に従って、各データのプロテクト状態を検出してもよい。
【００２２】
上記目的を達成するため、本発明の第２の観点に係る記録再生装置は、
データ書き換え可能な記録媒体に記録された全音楽データの一括消去を指示する指示手段と、
前記指示手段により一括消去が指示されると、全音楽データ中に他の機器からチェックアウトされた音楽データが含まれているか検出する検出手段と、
前記検出手段により、チェックアウトされた音楽データが１つでも検出された場合に、少なくともチェックアウトされた音楽データを除く音楽データを消去対象として選択する選択手段と、
前記選択手段により選択された音楽データを記録媒体から消去する消去手段と、
を備えることを特徴とする。
【００２３】
上記目的を達成するため、本発明の第３の観点に係るデータ消去方法は、
データ書き換え可能な記録媒体に記録された全音楽データの一括消去を指示する指示ステップと、
前記指示ステップにて一括消去が指示されると、各音楽データのプロテクト状態を検出する検出ステップと、
前記検出ステップにて、プロテクト状態の音楽データが１つでも検出された場合に、少なくともプロテクト状態を除く音楽データを消去対象として選択する選択ステップと、
前記選択ステップにて選択された音楽データを記録媒体から消去する消去ステップと、
を備えることを特徴とする。
【００２４】
【発明の実施の形態】
本発明の実施の形態にかかる記録再生装置について、以下図面を参照して説明する。
【００２５】
図１は、この発明の実施の形態に適用される記録再生装置１を含んだシステムの構成の一例を示すブロック図である。図示するように、このシステムは、記録再生装置１と、パソコン３とが、ＵＳＢケーブルＣを介して接続されて構成される。
【００２６】
記録再生装置１は、「ＮｅｔＭＤ（登録商標）」規格に対応したオーディオ機器であり、図示するように、セキュリティ回路１１と、セキュリティコントロールマイコン１２と、システムコントロールマイコン１３と、操作部１４と、表示パネル１５と、ＭＤメカユニット１６と、から構成される。
【００２７】
すなわち、記録再生装置１は、ＮｅｔＭＤ規格に準じて、チェックアウト時に、パソコン３から転送される音楽データを、ディスクｄ（ＭＤ；ミニディスク）に記録する。また、チェックイン時に、ディスクｄに記録した音楽データを、パソコン３に戻す（実際には、コンテンツハッシュを返信すると共に音楽データをディスクｄから削除する）。
なお、これらチェックアウト・チェックイン時に、記録再生装置１は、著作権保護を適切に行うためのコンテンツハッシュ（音楽データに従って、一意的に定まり、音楽データを特定するための情報）を生成して、パソコン３に送信する。
【００２８】
ところで、ディスクｄには、ＵＴＯＣ（Ｕｓｅｒ　Ｔａｂｌｅ　Ｏｆ　Ｃｏｎｔｅｎｔｓ）記録エリアが設けられており、図２に示すようなＵＴＯＣ情報が記憶されている。
このＵＴＯＣ情報は、ディスクｄに記録される音楽データを管理するための情報であり、例えば、図中に斜線で示すエリアにトラックモード（Ｔｒａｃｋ　ｍｏｄｅ）がセットされている。
このトラックモードとは、音楽データのプロテクトの可否や記録モードの種別等を規定する情報であり、図３に示すように、各ビットの値にそれぞれの意味が規定されている。
なお、ＮｅｔＭＤ規格に従ってチェックアウトされた音楽データには、図中のｄ１（Ｗｒｉｔｅ　Ｐｒｏｔｅｃｔ）に、「０」（Ｗｒｉｔｅ　Ｐｒｏｔｅｃｔｅｄ）がセットされる。一方、通常に記録された音楽データには、図中のｄ１に、「１」（Ｗｒｉｔｅ　Ｐｅｒｍｉｔｔｅｄ）がセットされる。
【００２９】
図１に戻って、セキュリティ回路１１は、ＵＳＢケーブルＣを介してパソコン３との間で通信を行うためのＵＳＢインタフェースを含んでおり、セキュリティコントロールマイコン１２に制御され、パソコン３との間で認証等を行う。
【００３０】
セキュリティコントロールマイコン１２は、システムコントロールマイコン１３がＭＤメカユニット１６から取得したサウンドグループデータ、トラックモード、及び、コンテンツサイズからコンテンツハッシュを生成する。
【００３１】
システムコントロールマイコン１３は、セキュリティコントロールマイコン１２及び、ＭＤメカユニット１６（ＭＤメカコントロールマイコン２１）を制御して、記録再生装置１全体を制御する。
例えば、システムコントロールマイコン１３は、後述するデータ消去処理等を実行し、音楽データ（トラック）のプロテクト状態を調べた後に、消去トラックの選択を受けて、対象となるトラックをディスクｄから消去する。
なお、システムコントロールマイコン１３は、メモリを備えており、トラックのプロテクト状態を示す情報を記憶可能である。
【００３２】
操作部１４は、例えば、複数のキースイッチ群からなり、利用者の操作（押下等）に従った指示情報をシステムコントロールマイコン１３に供給する。
具体的に操作部１４には、音楽データの編集を指示するための「ＴＲＡＣＫ　ＥＤＩＴキー」、編集項目の変更を指示するための「ＵＰ／ＤＯＷＮキー」、編集項目の選択を指示するための「ＳＥＴキー」、及び、編集の実行を指示するための「ＥＮＴＥＲキー」等が含まれている。そして、これらのキーが利用者により操作されると、操作部１４は、対応する指示信号をシステムコントロールマイコン１３に供給する。
【００３３】
表示パネル１５は、液晶表示パネル等からなり、システムコントロールマイコン１３から供給される表示用データに従って、記録再生装置１の動作状況を示す文字や図形等を表示する。
例えば、音楽データの編集（ＡＬＬ　ＥＲＡＳＥ；全消去）時に、消去対象とするトラック（プロテクトトラックや、それ以外のトラック等）を表す情報を表示する。
【００３４】
ＭＤメカユニット１６は、ＭＤメカコントロールマイコン２１と、ヘッドドライバ２２と、記録ヘッド２３と、スピンドルモータ２４と、光ピックアップ２５と、送りモータ２６と、ＲＦアンプ２７と、ディジタル信号処理回路２８と、バッファメモリ２９と、から構成される。
【００３５】
ＭＤメカコントロールマイコン２１は、システムコントロールマイコン１３から送られる制御コマンドに従って、ディジタル信号処理回路２８を制御する。
例えば、制御コマンドに従って、ディスクｄから音楽データを全消去（ＡＬＬＥＲＡＳＥ）する際に、ＭＤメカコントロールマイコン２１は、各音楽データのトラックモードをディジタル信号処理回路２８を介して読み出して、システムコントロールマイコン１３に供給する。
ヘッドドライバ２２は、記録ヘッド２３を制御して、ディスクｄに音楽データやタイトル情報等を書き込む。
記録ヘッド２３は、光ピックアップ２５によりキュリー点以上にまで加熱されたディスクｄの記録面を磁化することにより、音楽データ等をディスクｄに記録する。また、選択された音楽データ（トラック）をディスクｄから消去する。
【００３６】
スピンドルモータ２４は、ディスクｄを搭載する図示せぬターンテーブルを回転駆動させる。
光ピックアップ２５は、音楽データの再生時に、所定の波長のレーザ光をディスクｄの記録面に向けて照射し、その反射光を受けて電気信号に変換する。光ピックアップ２５は、変換した電気信号をＲＦアンプ２７に供給する。
また、光ピックアップ２５は、音楽データの記録時に、レーザ光をディスクｄの記録面に向けて照射し、キュリー点以上になるまで加熱する。
送りモータ２６は、ディジタル信号処理回路２８に制御され、光ピックアップ２５をディスクｄの所定位置に移動させる。
ＲＦアンプ２７は、光ピックアップ２５より供給された電気信号からＲＦ信号、フォーカスエラー信号及び、トラッキングエラー信号等を生成する。ＲＦアンプ２７は、生成したＲＦ信号等をディジタル信号処理回路２８等に供給する。
【００３７】
ディジタル信号処理回路２８は、ＭＤメカコントロールマイコン２１に制御され、スピンドルモータ２４、光ピックアップ２５、送りモータ２６及び、ヘッドドライバ２２等を制御する。
例えば、ディジタル信号処理回路２８は、ＭＤメカコントロールマイコン２１から音楽データのトラックモードの読み出しを指示されると、光ピックアップ２５や送りモータ２６等を制御して、図２に示すようなＵＴＯＣ情報から対象のトラックモード（Ｔｒａｃｋ　ｍｏｄｅ）を読み出す。
また、ＭＤメカコントロールマイコン２１から音楽データ（トラック）の消去を指示されると、光ピックアップ２５やヘッドドライバ２２等を制御して、対象のトラックをディスクｄから消去する（具体的には、図２に示すようなＵＴＯＣ情報を更新する）。
バッファメモリ２９は、再生時や記録時等において、所定容量の音楽データを一時的に記憶する。
【００３８】
一方、パソコン３は、ＣＰＵ等の演算ユニット、メモリやハードディスク等の記憶素子、マウスやキーボード等の操作デバイス、ディスプレイ等の表示デバイス、そして、ＵＳＢインタフェース等を備えた汎用のパーソナルコンピュータからなる。
そして、パソコン３は、ハードディスク等にインストールされたＯＳ（Ｏｐｅｒａｔｉｎｇ　Ｓｙｓｔｅｍ）に従って稼動し、そのＯＳ上にてＮｅｔＭＤ規格に対応したアプリケーションソフトウェアを実行する。
具体的にパソコン３は、チェックアウト機能によって、ハードディスクに予め記憶した音楽データ（コンテンツ）を、記録再生装置１に転送し、ディスクｄに記録させる。
【００３９】
以下、この発明の実施の形態にかかる記録再生装置１の編集動作の一例について図４等を参照して簡単に説明する。図４は、ディスクｄに記録された音楽データを適宜消去するデータ消去処理を説明するためのフローチャートである。なお、このデータ消去処理は、利用者による操作部１４の操作に応答して、システムコントロールマイコン１３により実行される。
【００４０】
まず、システムコントロールマイコン１３は、音楽データの編集を指示するＴＲＡＣＫ　ＥＤＩＴキーが操作部１４にて入力されるまで、後続処理の実行を待機する（ステップＳ１１）。
そして、ＴＲＡＣＫ　ＥＤＩＴキーが入力されると、システムコントロールマイコン１３は、記録再生装置１において、再生動作や録音動作が停止中であり、かつ、ディスクｄへのデータの書込みが可能な状態であるか否かを判別する（ステップＳ１２）。
システムコントロールマイコン１３は、停止中でなく、また、書込みが可能な状態でない場合に、ステップＳ１１に処理を戻す。
【００４１】
一方、記録再生装置１において、停止中であり、かつ、書込みが可能な状態である場合に、システムコントロールマイコン１３は、編集項目の変更を指示するＵＰ／ＤＯＷＮキーが入力され、そして、編集項目を選択するＳＥＴキーが入力されてＡＬＬ　ＥＲＡＳＥの項目が選択されるまで、後続処理の実行を待機する（ステップＳ１３〜Ｓ１５）。なお、ＵＰ／ＤＯＷＮキー及び、ＳＥＴキーは、操作部１４にて入力される。
【００４２】
そして、ＡＬＬ　ＥＲＡＳＥの項目が選択されると、システムコントロールマイコン１３は、プロテクト検出処理を実行する（ステップＳ３０）。
具体的にシステムコントロールマイコン１３は、図５に示すプロテクト検出処理を実行し、ＮｅｔＭＤ規格に従ってチェックアウトされ、プロテクト情報が設定された音楽データ（トラック）が、ディスクｄ内に存在するかを検出する。
【００４３】
すなわち、図５に示すように、システムコントロールマイコン１３は、トラック番号をセットして、トラックモードの読み出しを要求する（ステップＳ３１）。つまり、システムコントロールマイコン１３は、ＭＤメカコントロールマイコン２１に対して、ディスクｄに記録されている１つの音楽データに対応するトラック番号をセットし、この音楽データのトラックモードの読み出しを要求する。
【００４４】
そして、システムコントロールマイコン１３は、ＭＤメカコントロールマイコン２１がディジタル信号処理回路２８を制御して、図２に示すようなＵＴＯＣ情報から対応するトラックモード（Ｔｒａｃｋ　ｍｏｄｅ）の読み出しを終えるまで待機する（ステップＳ３２）。
システムコントロールマイコン１３は、ＭＤメカコントロールマイコン２１がトラックモードの読み出しを終えると、トラックモードの供給を受け、トラックのプロテクト状態を示す情報を自己のメモリに記憶する（ステップＳ３３）。
具体的にシステムコントロールマイコン１３は、図３に示すトラックモードの最上位ビット（ｄ１；Ｗｒｉｔｅ　Ｐｒｏｔｅｃｔ）のビット値を、自己のメモリに記憶する。
【００４５】
システムコントロールマイコン１３は、ディスクｄに記録された全トラック分（全ての音楽データ分）のトラックモードの読み出しが、完了したか否かを判別する（ステップＳ３４）。
システムコントロールマイコン１３は、全トラック分の読み出しが完了していないと判別した場合に、ステップＳ３１に処理を戻し、上述のステップＳ３１〜Ｓ３４の処理を繰り返し実行する。
一方、全トラック分の読み出しが完了したと判別した場合に、システムコントロールマイコン１３は、プロテクト検出処理を終え、図４のデータ消去処理に処理を戻す。
【００４６】
データ消去処理に処理を戻すと、システムコントロールマイコン１３は、続いて消去対象選択処理を実行する（ステップＳ４０）。
具体的にシステムコントロールマイコン１３は、図６に示す消去対象選択処理を実行し、消去の対象を提示しながら、利用者による消去対象トラックの選択を受ける。
【００４７】
すなわち、図６に示すように、システムコントロールマイコン１３は、上述のプロテクト検出処理によって、ディスクｄ内にプロテクトトラックの存在が検出されているか否かを判別する（ステップＳ４１）。
システムコントロールマイコン１３は、プロテクトトラックが存在しないと判別した場合、そのまま、消去対象選択処理を終える。つまり、ＮｅｔＭＤ規格に従ってチェックアウトされた音楽データがディスクｄ内に存在しないため、通常に記録された全音楽データ（トラック）が、消去対象となる。
【００４８】
一方、プロテクトトラックが存在すると判別した場合に、システムコントロールマイコン１３は、プロテクトトラックを消去対象とする旨を、表示パネル１５に表示する（ステップＳ４２）。つまり、ＮｅｔＭＤ規格に従ってチェックアウトされた音楽データがディスクｄ内に存在し、このチェックアウトされた音楽データだけを消去対象とするため、その旨を示すメッセージ等を表示パネル１５に表示する。
システムコントロールマイコン１３は、項目の変更を指示するＵＰ／ＤＯＷＮキーが入力され、又は、項目を選択するＳＥＴキーが入力されるまで、後続処理の実行を待機する（ステップＳ４３，Ｓ４４）。
システムコントロールマイコン１３は、ＳＥＴキーが入力されたと判別した場合に、消去対象選択処理を終える。つまり、表示パネル１５に表示した通り、チェックアウトされた全音楽データ（トラック）が、消去対象となる。
【００４９】
一方、ＵＰ／ＤＯＷＮキーが入力されたと判別した場合に、システムコントロールマイコン１３は、プロテクトトラック以外を消去対象とする旨を、表示パネル１５に表示する（ステップＳ４５）。つまり、チェックアウトされた音楽データがディスクｄ内に存在するが、これらを除いて通常に記録された音楽データだけを消去対象とするため、その旨を示すメッセージ等を表示パネル１５に表示する。
システムコントロールマイコン１３は、ＵＰ／ＤＯＷＮキーが入力され、又は、ＳＥＴキーが入力されるまで、後続処理の実行を待機する（ステップＳ４６，Ｓ４７）。
システムコントロールマイコン１３は、ＳＥＴキーが入力されたと判別した場合に、消去対象選択処理を終える。つまり、表示パネル１５に表示した通り、チェックアウトされた音楽データを除いた全楽曲データ（トラック）が、消去対象となる。
【００５０】
一方、ＵＰ／ＤＯＷＮキーが入力されたと判別した場合に、システムコントロールマイコン１３は、全てのトラックを消去対象とする旨を、表示パネル１５に表示する（ステップＳ４８）。
システムコントロールマイコン１３は、ＵＰ／ＤＯＷＮキーが入力され、又は、ＳＥＴキーが入力されるまで、後続処理の実行を待機する（ステップＳ４９，Ｓ５０）。
システムコントロールマイコン１３は、ＵＰ／ＤＯＷＮキーが入力されたと判別した場合に、ステップＳ４２に処理を戻し、上述のステップＳ４２〜Ｓ４９等の処理を繰り返し実行する。
一方、ＳＥＴキーが入力されたと判別した場合に、システムコントロールマイコン１３は、消去対象選択処理を終える。つまり、表示パネル１５に表示した通り、ディスクｄ内の全楽曲データ（トラック）が消去対象となる。
そして、消去対象選択処理を終えると、システムコントロールマイコン１３は、図４のデータ消去処理に処理を戻す。
【００５１】
データ消去処理に処理を戻すと、システムコントロールマイコン１３は、ＥＲＡＳＥを確認するためのメッセージを表示パネル１５に表示し（ステップＳ１６）、操作部１４にてＥＮＴＥＲキーが入力されるのを待機する（ステップＳ１７）。
【００５２】
ＥＮＴＥＲキーが入力されると、システムコントロールマイコン１３は、ＥＲＡＳＥを実行する（ステップＳ１８）。すなわち、システムコントロールマイコン１３は、図６に示す消去対象選択処理にて利用者に選択された（若しくは、通常通りに決められた）消去対象のトラックを、ＭＤメカコントロールマイコン２１を制御して、ディスクｄから消去する。
【００５３】
システムコントロールマイコン１３は、ＭＤメカコントロールマイコン２１から返される実行結果が、消去の成功を示す情報であるか否かを判別する（ステップＳ１９）。
そして、システムコントロールマイコン１３は、消去が成功しなかった場合に、所定のエラーメッセージを表示パネル１５に表示し（ステップＳ２０）、一方、消去が成功した場合に、ＥＲＡＳＥの完了を示すメッセージを表示パネル１５に表示する（ステップＳ２１）。
【００５４】
上述した図４〜図６に示す各処理によって、ディスクｄ内にチェックアウトされた音楽データ（プロテクト情報がセットされたトラック）の有無が判別され、チェックアウトされた音楽データが存在する場合に、消去対象のトラックを利用者が任意に選択可能となる。
つまり、ディスクｄから全トラックの消去時に、プロテクトトラックが存在する場合において、プロテクトトラックだけを全消去、プロテクトトラックを除いた通常のトラックだけを全消去、若しくは、全トラック消去を利用者が選択できる。
【００５５】
これにより、チェックアウトしたトラックを不用意に消去してしまうことを防止できる。
また、パソコン３に接続しなくとも、記録再生装置１だけで、音楽データの全消去が可能となる。
この結果、消去対象となるデータを適切に選択して消去することができる。
【００５６】
上記の実施の形態では、編集（全消去；ＡＬＬ　ＥＲＡＳＥ）が指示された後に、ディスクｄから各音楽データのトラックモードを読み出し、プロテクト情報を取得する場合について説明した。しかしながら、トラックモードを読み出し、プロテクト情報を取得するタイミングは任意である。例えば、ＵＴＯＣ情報を読み出すタイミング（例えば、パワーオン後、ディスク挿入後、ディスクへの書き込み後、及び、各種編集後等）に、各トラックのプロテクト情報を取得（プロテクト状態を検出）してもよい。
以下、ＵＴＯＣ情報を読み出した際に、プロテクト情報を取得する記録再生装置１の動作について、図７を参照して簡単に説明する。図７は、この発明の他の実施の形態に係るデータ消去処理を説明するためのフローチャートである。なお、このデータ消去処理は、例えば、パワーオン後やディスク挿入後に自動的に開始される。
【００５７】
まず、システムコントロールマイコン１３は、ＭＤメカコントロールマイコン２１を制御して、ディスクｄからＵＴＯＣ情報の読み込みが終了するまで待機し（ステップＳ５１）、読み込みが終了すると、読み込んだＵＴＯＣ情報を自己のメモリに記憶する（ステップＳ５２）。
システムコントロールマイコン１３は、プロテクト検出処理を実行する（ステップＳ３０）。すなわち、編集（全消去；ＡＬＬ　ＥＲＡＳＥ）が指示される前に、システムコントロールマイコン１３は、上述した図５に示すプロテクト検出処理を実行する。
【００５８】
プロテクト検出処理を終えると、システムコントロールマイコン１３は、ＴＲＡＣＫ　ＥＤＩＴキーが入力されるまで、後続処理の実行を待機する（ステップＳ５３）。そして、ＴＲＡＣＫ　ＥＤＩＴキーが入力されると、再生動作や録音動作が停止中であり、かつ、ディスクｄへのデータの書込みが可能な状態であるか否かを判別する（ステップＳ５４）。
システムコントロールマイコン１３は、停止中でなく、また、書込みが可能な状態でない場合に、ステップＳ５３に処理を戻す。
【００５９】
一方、停止中であり、かつ、書込みが可能な状態である場合に、システムコントロールマイコン１３は、操作部１４にてＵＰ／ＤＯＷＮキーが入力され、ＡＬＬ　ＥＲＡＳＥの項目がＳＥＴキーにより選択されるまで、後続処理の実行を待機する（ステップＳ５５〜Ｓ５７）。
そして、ＡＬＬ　ＥＲＡＳＥの項目が選択されると、システムコントロールマイコン１３は、消去対象選択処理を実行する（ステップＳ４０）。すなわち、システムコントロールマイコン１３は、上述した図６に示す消去対象選択処理を実行する。
【００６０】
消去対象選択処理を終えると、システムコントロールマイコン１３は、ＥＲＡＳＥを確認するためのメッセージを表示パネル１５に表示し（ステップＳ５８）、操作部１４にてＥＮＴＥＲキーが入力されるのを待機する（ステップＳ５９）。
ＥＮＴＥＲキーが入力されると、システムコントロールマイコン１３は、ＥＲＡＳＥを実行する（ステップＳ６０）。すなわち、システムコントロールマイコン１３は、図６に示す消去対象選択処理にて利用者に選択された（若しくは、通常通りに決められた）消去対象のトラックを、ＭＤメカコントロールマイコン２１を制御して、ディスクｄから消去する。
【００６１】
システムコントロールマイコン１３は、ＭＤメカコントロールマイコン２１から返される実行結果が、消去の成功を示す情報であるか否かを判別する（ステップＳ６１）。
そして、システムコントロールマイコン１３は、消去が成功しなかった場合に、所定のエラーメッセージを表示パネル１５に表示し（ステップＳ６２）、一方、消去が成功した場合に、ＥＲＡＳＥの完了を示すメッセージを表示パネル１５に表示する（ステップＳ６３）。
【００６２】
上述した図７に示すデータ消去処理等によっても、チェックアウトされた音楽データの有無が事前に判別されており、チェックアウトされた音楽データがディスク内に存在する場合に、消去対象のトラックを利用者が任意に選択可能となる。
つまり、プロテクトトラックが存在する場合において、プロテクトトラックだけを全消去、プロテクトトラックを除いた通常のトラックだけを全消去、若しくは、全トラック消去を利用者が選択できる。
【００６３】
これにより、チェックアウトしたトラックを不用意に消去してしまうことを防止できる。
また、パソコン３に接続しなくとも、記録再生装置１だけで、音楽データの全消去が可能となる。
この結果、消去対象となるデータを適切に選択して消去することができる。
【００６４】
上記の実施の形態では、ディスクｄ内の音楽データの全消去時において、チェックアウトされた音楽データが存在する際に、プロテクトトラック、プロテクトトラックを除いたトラック、若しくは、全トラックの何れかを、利用者が毎回選択する場合について説明した。しかしながら、予め選択する内容が決まっている場合には、記録再生装置１に選択内容を設定することにより、自動的に対象のトラックを消去できるようにしてもよい。
例えば、プロテクトトラックを消去しないことを決めている利用者は、プロテクトトラックを除いたトラックを選択内容として、記録再生装置１に設定しておく。この場合、ディスクｄ内にチェックアウトされた音楽データが存在する場合に、プロテクトトラックを除いたトラックが自動的に選択されて消去されることとなる。
【００６５】
上記の実施の形態では、ＮｅｔＭＤ規格に対応した記録再生装置について説明したが、ＮｅｔＭＤ規格に対応していない記録再生装置でも、適宜適用可能である。また、ＭＤからなるディスクｄに音楽データを記録している場合について説明したが、音楽データ等を記録する対象の記録媒体は、ＭＤに限られず任意である。
例えば、他にＭＯ（Ｍａｇｎｅｔｏ−Ｏｐｔｉｃａｌ　ｄｉｓｋ）、ＤＶＤ−ＲＡＭ（Ｄｉｇｉｔａｌ　Ｖｅｒｓａｔｉｌｅ　Ｄｉｓｋ−ＲＡＭ）等の記録媒体に音楽データ等を記録してもよく、また、スマートメディア（登録商標）、メモリステック（登録商標）等の記録媒体に音楽データ等を記録してもよい。
更に、記録媒体に記録するデータは、音楽データに限られず、他に映像データ等であってもよい。
【００６６】
なお、上記の実施の形態では、チェックアウトされた音楽データであるか否かをライトプロテクト（図３に示すトラックモードのｄ１）の値により判別する場合について説明したが、これに限定されるものではない。つまり、チェックアウトされた音楽データであるか否かが判別できればよく、その手法は任意である。又、記録モード（図３に示すトラックモードのｄ５，ｄ６，ｄ７）の違い（ＡＴＲＡＣ　Ｓｔｅｒｅｏ，ＡＴＲＡＣ３　ＬＰ２　Ｓｔｅｒｅｏ，ＡＴＲＡＣ３　ＬＰ４　Ｓｔｅｒｅｏ等）を基準に判別してもよい。
【００６７】
また、上記の実施の形態では、記録再生装置１及びパソコン３がそれぞれＵＳＢインタフェースを備え、そして、記録再生装置１とパソコン３との間がＵＳＢケーブルＣを介して接続されるオーディオシステムについて説明した。しかしながら、記録再生装置１及びパソコン３が備えるインタフェースは、ＵＳＢに限られず任意である。例えば、ＩＥＥＥ１３９４等のようなインタフェースであってもよく、記録再生装置１とパソコン３との間がＩＥＥＥ１３９４ケーブルを介して接続されてもよい。
【００６８】
【発明の効果】
以上説明したように、本発明によれば、消去対象となるデータを適切に選択して消去することができる。
【図面の簡単な説明】
【図１】本発明の実施の形態に係る記録再生装置を含んだシステムの構成の一例を示すブロック図である。
【図２】ＵＴＯＣ情報の構造を説明するための模式図である。
【図３】ＵＴＯＣ情報中のトラックモードのデータ構造を説明するための模式図である。
【図４】本発明の実施の形態に係るデータ消去処理を説明するためのフローチャートである。
【図５】本発明の実施の形態に係るプロテクト検出処理を説明するためのフローチャートである。
【図６】本発明の実施の形態に係る消去対象選択処理を説明するためのフローチャートである。
【図７】本発明の他の実施の形態に係るデータ消去処理を説明するためのフローチャートである。
【図８】従来の記録再生装置の構成の一例を説明するためのブロック図である。
【図９】従来の記録再生装置にて実行されるデータ消去処理を説明するためのフローチャートである。
【符号の説明】
１　　記録再生装置
１１　セキュリティ回路
１２　セキュリティコントロールマイコン
１３　システムコントロールマイコン
１４　操作部
１５　表示パネル
１６　ＭＤメカユニット
２１　ＭＤメカコントロールマイコン
２２　ヘッドドライバ
２３　記録ヘッド
２４　スピンドルモータ
２５　光ピックアップ
２６　送りモータ
２７　ＲＦアンプ
２８　ディジタル信号処理回路
２９　バッファメモリ
３　　パソコン
Ｃ　　ＵＳＢケーブル
【図１】
2004079005.tif 000003
【図２】
2004079005.tif 000004
【図３】
2004079005.tif 000005
【図４】
2004079005.tif 000006
【図５】
2004079005.tif 000007
【図６】
2004079005.tif 000008
【図７】
2004079005.tif 000009
【図８】
2004079005.tif 000010
【図９】
2004079005.tif 000011